(57)【要約】【課題】高周波発振回路を必要とせず、また配線接続が不要な無線タグを利用した小便検知装置を提供せんとするものである。【解決手段】無線タグ２を、アンテナ３と、無線タグＩＣ４と、スイッチ５とで構成している。スイッチ５は、例えば二つの電極５Ａ，５Ｂからなり、小便水が二つの電極５Ａ，５Ｂ間を短絡させることによってＯＮとなる。これにより、アンテナ回路３が形成され、リーダ側からの電波を受信して内部に駆動用の電源を発生する。そして、無線タグＩＣ４は、所定のデータをアンテナ３を通じて無線電波により自動的に発信するようになる。リーダライタ側ではこれを受信し、小便が検知されたことを確認するための音又は光が発生し、また小便器の自動洗浄が行われる。従って、小便をしたときにのみ確実に洗浄することが可能であり、無駄な洗浄を省略し、効率的でもある。【選択図】  図１
2005307501.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを便鉢内面に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から音や光等で報知するようにしたことを特徴とする無線タグを利用した小便検知装置。
【請求項２】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを便鉢内面に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から洗浄水を流す指令が出力されることを特徴とする無線タグを利用した小便検知装置。
【請求項３】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグをトラップ内に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から洗浄水を流す指令が出力されることを特徴とする無線タグを利用した小便検知装置。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグを利用した小便検知装置に関するものである。
【背景技術】
【０００２】
小便を検知する装置としては、特許文献１及び２に記載された発明が公知である。特許文献１に記載された従来技術は、小便器の排水トラップに、高周波発振器に接続された励起用電極と、この励起用電極の電磁波を受信する受信用検出コイルとを設置し、排水トラップ内の封水内の尿濃度の変化を電導率、誘電率の変化として、受信用検出コイルに誘導される共振電圧、若しくは共振周波数の変化で捕らえて洗浄水の開閉弁を制御し、小便器本体の便鉢内面を洗浄するようにしている。
【０００３】
一方、特許文献２に記載された従来技術は、小便器本体の小便水が届く部位にペルチェ素子を設置している。ペルチェ素子は、小便水の温度との温度差により起電力を生じるようになる。従って、特許文献２の技術は、使用者が小便水をペルチェ素子に引っ掛けるごとに、起電力が発生するようになり、この起電力を脱臭ファン等の電力として利用することが可能である。
【特許文献１】実開平５−７７６３号公報
【特許文献２】特開２００２−３２２７２５号公報
【発明の開示】
【発明が解決しようとする課題】
【０００４】
ところが、前記特許文献１に記載された従来の自動洗浄装置は、高周波発振回路及び受信コイルを用いており、高周波が他の機器に影響を及ばさないようにその設置及び取扱いを慎重に行う必要があった。またこれらの各機器どうしの間は配線接続することが必要であり、煩わしいものであった。この配線接続については、特許文献２に記載された従来技術の場合も同じであった。すなわち、特許文献２の場合は、ペルチェ素子とバッテリー及び制御部とを配線接続する必要があった。
【０００５】
本発明は従来の前記課題に鑑みてこれを改良除去したものであって、高周波発振回路を必要とせず、また配線接続が不要な小便検知装置を提供せんとするものである。
【課題を解決するための手段】
【０００６】
而して、前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを便鉢内面に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から音や光等で報知するようにしたことを特徴とする無線タグを利用した小便検知装置である。
【０００７】
本発明が採用した請求項２の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグを便鉢内面に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から洗浄水を流す指令が出力されることを特徴とする無線タグを利用した小便検知装置である。
【０００８】
本発明が採用した請求項３の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとから成る無線タグをトラップ内に備えた小便器であって、前記スイッチは小便の有無を検知することによってＯＮ／ＯＦＦするものであり、当該スイッチがＯＮとなったときに、前記無線タグＩＣのデータがリーダライタ側へ送信され、リーダライタ側から洗浄水を流す指令が出力されることを特徴とする無線タグを利用した小便検知装置である。
【発明の効果】
【０００９】
而して、請求項１の発明にあって、小便器の便鉢内面に設置された無線タグは、アンテナと、無線タグＩＣと、スイッチとから成り、スイッチは小便検知の有無によってＯＮ／ＯＦＦ制御される。例えば、スイッチは近接した二つの電極を有し、該電極間に小便水がかかったときに電極間が短絡し、ＯＮとなる。このようにして、小便を検知してスイッチがＯＮとなった場合には、無線タグＩＣは所定のデータをアンテナを通じて無線電波により自動的に発信する。発信された電波は、リーダライタ側がこれを受信する。無端タグＩＣの前記データは、警報装置から音又は光による警報を発信させることを内容とする信号である。
【００１０】
従って、小便器の便鉢内面に設置された無線タグのスイッチが、小便を検知することによって、警報装置から音又は光による警報が発せられるようになり、子供が用を足す場合に、無線タグのスイッチがターゲットマークとなり、おもしろがってこれをめがけて小便をすることになるので、小便があっちこっちへ飛散して小便器を汚す等のことはない。また音と光により、使用者は洗浄水の吐出操作を行う等が促される効果もある。更に、無線タグとリーダライタ側とは無線電波により信号のやりとりを行っており、配線接続する等の煩わしい作業が不要であり、配線自体が周辺の機器類の邪魔になる等のこともない。
【００１１】
また請求項２の発明にあっては、小便器の便鉢内面に設置された無線タグのスイッチが、小便を検知しＯＮになると、無線タグＩＣは小便器の洗浄を開始する信号をアンテナを通じて無線電波により自動的に発信する。これにより、リーダライタ側がこれを受信し、自動洗浄装置の開閉弁を開動作させる指令を出力する。そして、洗浄水が便鉢内面へ吐出され、小便器の自動洗浄が行われる。従って、請求項２の発明では、小便をしたときにのみ確実に小便器の洗浄を行うことができ、効率的な便器洗浄が可能であり、節水効果もある。
【００１２】
更に、請求項３の発明は、無線タグを小便器のトラップ内に設置している。この場合も、小便をしたときにのみ確実に小便器の洗浄を行うことができ、効率的な便器洗浄が可能であり、節水効果もある。
【発明を実施するための最良の形態】
【００１３】
以下に、本発明の構成を図面に示す発明の実施の形態に基づいて説明すると次の通りである。図１〜図３は本発明の第１の実施の形態に係るものであり、図１は小便器１の縦断面側面図、図２は無線タグ２の電気回路図、図３はリーダライタ側の制御装置を示すブロック図である。図１に示すように、この第１の実施の形態では、小便器１の便鉢内面１Ａに面して無線タグ２を設置している。無線タグ２は、図２に示すように、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから成る。スイッチ５は、二つの電極５Ａ，５Ｂを有し、これらは便鉢１Ａの内面へ臨むように配設され、無線タグ２の全体は小便器本体内に埋設されている。
【００１４】
また小便器１の上部側には凹部６が形成されており、給水源へ接続された洗浄水開閉バルブ８と、音又は光の発生装置９並びにリーダライタ１０が配設されている。リーダライタ１０は、図３のブロック図に示す通り、無線タグ２からの電波を受信するリーダアンテナ１１と、制御部１２とを有しており、制御部１２は音又は光発生装置９と、洗浄水開閉バルブ８へ動作信号を出力するようになっている。
【００１５】
なお、無線タグ２のアンテナ３と、リーダライタ１０側のリーダアンテナ１１の形状は、電波の効率を高めるため、一般には平面内においてコイル状に巻回した面ループ状形態が採用される。しかし、各アンテナ３，１１の形態は、交信に使用する電波の周波数や強度などに基づき適宜変更することが可能であり、例えば棒状・パッチ状（素子状）・複合パッチ状・面状・スロット状・螺旋状・パターン状等も状況に応じて採用することが可能である。また無線タグ２の全体形状についても、板状・棒状・円盤状・直方体状などの様々な形態が可能である。
【００１６】
次に、このように構成された小便検知装置の動作態様を説明する。使用者が小便器へ向けて小便を開始し、小便水が便鉢内面１Ａの所定の位置に設置された無線タグ２の二つの電極５Ａ，５Ｂ間に放出されると、これらの電極間が小便水によって短絡し、スイッチ５がＯＮとなる。そのため、アンテナ回路３が閉成され、アンテナ３がリーダライタ１０側からの無線電波を受信して電源の供給を受け、無線タグＩＣ４の動作用の電源が確保される。これにより、無線タグＩＣ４は、内部に保存されていたデータをアンテナ３からリーダライタ１０側のアンテナ１１へ無線電波で送信するようになっている。データの内容は、小便水を検知したので音又は光発生装置９を駆動させるように指令することと、洗浄水開閉バルブ８をＯＮ動作させるように指令することである。
【００１７】
つまり、小便器１の便鉢内面１Ａに設置された無線タグ２のスイッチ５が、小便を検知することによって、警報装置から音又は光による警報が発せられるようになり、子供が用を足す場合に、無線タグ２のスイッチ５がターゲットマークとなり、おもしろがってこれをめがけて小便をすることになるので、小便があっちこっちへ飛散して小便器１を汚す等のことはない。また音と光により、使用者は洗浄水の吐出操作を行う等が促される効果もある。更に、無線タグ２とリーダライタ１０側とは無線電波により信号のやりとりを行っており、配線接続する等の煩わしい作業が不要であり、配線自体が周辺の機器類の邪魔になる等のこともない。
【００１８】
図４は、本発明の第２の実施の形態に関する小便器１の縦断面側面図である。この第２の実施の形態では、無線タグ２を排水トラップ１３の蓋部材１３Ａの表面側に設置している。また図５は、本発明の第３の実施の形態に関する小便器１の要部縦断面側面図である。この第３の実施の形態では、無線タグ２を排水トラップ１３の本体部１３Ｂに設置している。
これらの第２及び第３の実施の形態にあっては、無線タグ２が排水トラップ１３に設けられているので、小便をしたときにのみ確実に小便器１の洗浄を行うように信号を出力することができる。従って、無駄な洗浄を省いて効率的な便器洗浄が可能であり、節水効果もある。その他の構成並びに作用効果については、前記第１の実施の形態の場合と同じである。
【図面の簡単な説明】
【００１９】
【図１】本発明の第１の実施形態に係る小便器の縦断面側面図である。
【図２】本発明の第１の実施形態に係る無線タグの電気回路図である。
【図３】本発明の第１の実施形態に係るリーダライタ側の制御部を示すブロック図である。
【図４】本発明の第２の実施形態に係る小便器の縦断面側面図である。
【図５】本発明の第３の実施形態に係る小便器の要部縦断面側面図である。
【符号の説明】
【００２０】
１…小便器、１Ａ…便鉢内面、２…無線タグ、３…アンテナ、４…無線タグＩＣ、５…  スイッチ、５Ａ，５Ｂ…電極、８…洗浄水開閉バルブ、９…音又は光発生装置、１０…  リーダライタ、１１…リーダアンテナ、１２…制御部、１３…排水トラップ
【図１】
2005307501.tif 000003
【図２】
2005307501.tif 000004
【図３】
2005307501.tif 000005
【図４】
2005307501.tif 000006
【図５】
2005307501.tif 000007